【事件の表示】
　特許第３００６０９８号「印字データ処理装置」の請求項１に係る特許に対する特許異議の申立てについて、次のとおり決定する。
【結　論】
　訂正を認める。
　特許第３００６０９８号の請求項１に係る特許を維持する。
【理　由】
Ｉ．手続の経緯
　本件特許第３００６０９８号は、平成３年１月２１日に出願され、平成１１年１１月２６日にその特許の設定登録がなされたところ、石塚輝より特許異議の申立がなされたものであり、その後、取消理由通知がなされ、その指定期間内である平成１３年１月５日に訂正請求がなされたものである。
　
II．訂正の適否についての判断
１．訂正の内容
　特許権者が求めている訂正の内容は、以下のＡ〜Ｃのとおりである。
Ａ．特許請求の範囲を、
「【請求項１】　少なくともキャラクタを特定する印字データを入力する印字データ入力手段と、
　上記キャラクタ毎に第１のキャラクタ形状と、該第１のキャラクタとは形状の異なる第２のキャラクタ形状とを記憶する形状記憶手段と、
　上記入力された印字データで特定されるキャラクタの第１のキャラクタ形状と第２のキャラクタ形状とを抽出する形状抽出手段と、
　任意に設定される第１の色を記憶する第１色記憶手段と、
　任意に設定される第２の色を記憶する第２色記憶手段と、
　描画方法が設定される描画方法記憶エリアと、
　前記描画方法記憶エリアに設定された描画方法に基づいて、上記抽出した第１のキャラクタ形状を上記記憶された第１の色で描画した第１描画データを作成する第１描画データ作成手段と、
　前記描画方法記憶エリアに設定された描画方法に基づいて、上記抽出した第２のキャラクタ形状を上記記憶された第２の色で描画した第２描画データを作成する第２描画データ作成手段と、
　記録媒体へ印字するために、上記第１描画データおよび上記第２描画データを一体の描画データにする印字制御手段と
　を備えたことを特徴とする印字データ処理装置。」と訂正する。
　
Ｂ．明細書の段落番号【０００７】の記載を、
「【課題を解決するための手段及び作用】
　本発明の印字データ処理装置は、少なくともキャラクタを特定する印字データを入力する印字データ入力手段と、上記キャラクタ毎に第１のキャラクタ形状と、該第１のキャラクタとは形状の異なる第２のキャラクタ形状とを記憶する形状記憶手段と、上記入力された印字データで特定されるキャラクタの第１のキャラクタ形状と第２のキャラクタ形状とを抽出する形状抽出手段と、任意に設定される第１の色を記憶する第１色記憶手段と、任意に設定される第２の色を記憶する第２色記憶手段と、描画方法が設定される描画方法記憶エリアと、前記描画方法記憶エリアに設定された描画方法に基づいて、上記抽出した第１のキャラクタ形状を上記記憶された第１の色で描画した第１描画データを作成する第１描画データ作成手段と、前記描画方法記憶エリアに設定された描画方法に基づいて、上記抽出した第２のキャラクタ形状を上記記憶された第２の色で描画した第２描画データを作成する第２描画データ作成手段と、記録媒体へ印字するために、上記第１描画データおよび上記第２描画データを一体の描画データにする印字制御手段とを備えたことを要旨とする。」と訂正する。
　
Ｃ．明細書の段落番号【０００８】の記載を、
「上記構成を有する本発明の印字データ処理装置では、形状記憶手段にはキャラクタ毎に第１のキャラクタ形状とその第１のキャラクタ形状とは形状の異なる第２のキャラクタ形状とが記憶されている。印字データ入力手段にキャラクタを特定する印字データが入力されると、形状抽出手段が、入力された印字データで特定されるキャラクタの第１のキャラクタ形状と第２のキャラクタ形状とを形状記憶手段から抽出する。そして、描画方法記憶エリアに設定された描画方法に基づいて、第１描画データ作成手段が、抽出した第１のキャラクタ形状を第１色記憶手段に記憶された第１の色で描画した第１描画データを作成し、描画方法記憶エリアに設定された描画方法に基づいて、第２描画データ作成手段が、抽出した第２のキャラクタ形状を第２色記憶手段に記憶された第２の色で描画した第２描画データを作成する。この第１描画データおよび第２描画データを、印字制御手段は、記録媒体に印字するために一体の描画データとする。」
と訂正する。
　
２．訂正の目的の適否、新規事項の有無、及び特許請求の範囲の拡張・変更の存否
　訂正事項Ａは、請求項１において、「描画方法が設定される描画方法記憶エリア」を具備するものに特定すると共に、「第１描画データ作成手段」及び「第２描画データ作成手段」が、「描画方法記憶エリアに設定された描画方法に基づいて」行われることを特定するものであるから、特許請求の範囲の減縮を目的とするものである。
　また、訂正事項Ａは、願書に添付された明細書の、段落番号００１９、００２１、００２２の記載、及び第２図中の符号４４（描画方法記録エリア）により支持されているから、この訂正は、願書に添付した明細書に記載した事項の範囲内の訂正であって、実質上特許請求の範囲を拡張し又は変更するものでもない。
　訂正事項Ｂ及びＣは、特許請求の範囲の訂正に伴って生じた記載上の不整合部分を、発明の詳細な説明において、訂正するものであるから、明りょうでない記載の釈明を目的とするものである。
　また、この訂正は、願書に添付した明細書に記載した事項の範囲内の訂正であって、実質上特許請求の範囲を拡張し又は変更するものでもない。
　
３．むすび
　以上のとおりであるから、上記訂正は、特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書き、第２項及び第３項の規定に適合するので、当該訂正を認める。
　
III．特許異議の申立についての判断
１．本件発明
　上記IIのとおり、本件明細書の訂正は認められるから、本件請求項１に係る発明（以下、「本件発明」という。）は、訂正請求書に添付された全文訂正明細書及び図面からみて、その特許請求の範囲の請求項１に記載されたとおりのものである。（上記II．１．Ａ．参照）
　
２．特許異議申立て理由の概要
　特許異議申立人　石塚輝は、証拠として、甲第１号証（特開昭６３−５６４５７号公報、以下、「刊行物１」という。）、甲第２号証（特開昭６３−２８６３５２号公報、以下、「刊行物２」という。）及び参考資料（特開昭６２−２４２５４８号公報、特開昭５９−２１７１号公報、特開昭５９−５３８８号公報、特開昭６３−３１３１９３号公報、特開平２−５１８５号公報、特開平２−２９４８７７号公報）を提示し、次の理由１及び２により、本件請求項１に係る発明の特許は取り消されるべき旨、主張している。
理由１：本件請求項１に係る発明は、甲第１及び２号証に記載された発明ないしは周知技術に基づいて当業者が容易に発明をすることができたものであり、特許法第２９条第２項の規定により特許を受けることができないものである。
理由２：本件明細書の記載が不備であり特許法第３６条に規定する要件を満たしていない出願に対してなされたものである。
　
３．理由１について
３−１．刊行物等に記載された発明
（１）．刊行物１には、以下の記載がある。
(1a)「標準文字パターン発生器および、白抜き文字パターン発生器とを有するプリンタの印字方式において、前記各文字パターン発生器から発生される文字パターンの組合せにより少なくともふちどりは文字、または極太文字のいずれかを印字することを特徴とするプリンタの印字方式。」（特許請求の範囲第１項）
(1b)「第５図は本発明のプリンタの印字方式を実現する装置の一実施例を示すブロック図である。
　上位装置より送られてきたデータは、受信バッファ１へ書き込まれ保持される。受信バッファ１へ書き込まれたデータが印字データの場合、データに従った文字パターンが標準文字パターン発生器２または白抜き文字パターン発生器３より参照され、パターン制御部４へ渡される。パターン制御部４では１行分のデータが揃うまでパターンバッファ５にパターンを展開し、色情報バッファ６に、同色、異色等の情報をセットしておく。１行分のデータが揃ったらパターン制御部４が印字制御部７に起動をかける。印字制御部７は、パターンバッファ５及び色情報バッファ６を参照し印字する。また、文字を重ねるためにプリンタ内部でこの作業を行うコマンドを設定しておき、上位装置よりコマンドが送られてきたら、パターン制御部４がパターンバッファ５に展開されている前の文字パターンの上に重ねて展開し、色情報バッファ６に情報をセットする。このように文字重ねコマンドに従って、パターン構成しその構成上の色情報に従って印字文字をふちどり付の文字か極太文字を実現する。なお、通常印字の場合は文字の重ね処理をすることなく印字すればよい。」（第２頁左上欄第１３行〜右上欄第１６行）
(1c)また、第１図〜第５図には、白抜き文字パターンの一例（第１図）、標準文字パターンの一例（第２図）、第１図と第２図に示す文字を重ね印字し、極太文字を作った例（第３図）、異色どうしの第１図及び第２図に示す文字を重ね印字し、ふちどり付の文字を作った例（第４図）及び本発明のプリンタの印字方式を実現する装置の一実施例を示すブロック図（第５図）が記載されている。
　
（２）．刊行物２には、以下の記載がある。
(2a)「少なくとも２色で印刷する印刷装置において、文字コードを入力する入力手段と、入力した文字コードに対応する文字記号パターンを発生するパターン発生手段と、発生したパターンに対する印刷色を指定する色指定手段と、前記文字記号パターンの陰影パターンを発生する陰影パターン発生手段と、前記色指定手段により指定された印刷色以外の印刷色の１つを選択する選択手段と、該選択手段で選択された印刷色を前記陰影パターンの印刷色とし、前記色指定手段により指定された印刷色の文字記号パターンと選択手段により選択された印刷色の陰影パターンとを合成して印刷出力する印刷手段とを備えることを特徴とする印刷装置。」（特許請求の範囲第１項）
　
（３）．参考資料には、それぞれ、キャラクタの図形として、複数の形状を組み合わせて、多彩な描画データを作成する技術が記載されている。
　
３−２．対比・判断
　本件発明と、刊行物１発明とを対比すると、本件発明が、上記訂正により加えられた構成である、「描画方法が設定される描画方法記憶エリア」（以下、「描画方法記憶エリア」と略す。）を備え、また、この描画方法記憶エリアに設定された描画方法に基づいて、「抽出した第１のキャラクタ形状を記憶された第１の色で描画した第１描画データを作成する第１描画データ作成手段」（以下、「第１描画データ作成手段」と略す。）と、「抽出した第２のキャラクタ形状を記憶された第２の色で描画した第２描画データを作成する第２描画データ作成手段」（以下、「第２描画データ作成手段」と略す。）とを備えているのに対し、刊行物１には、これらの描画方法記憶エリア及び第１、第２描画データ作成手段を備えることについて記載も示唆もされていない点で少なくとも相違する。
　また、本件発明と、刊行物２に記載された発明とを対比すると、刊行物１に記載された発明との対比と同様に、本件発明が、描画方法記憶エリア及び第１、第２描画データ作成手段を備えているのに対し、刊行物２には、これらの描画方法記憶エリア及び第１、第２描画データ作成手段を備えることについて、記載も示唆もされていない点で少なくとも相違する。
　更に、参考資料には、特許異議申立人が主張するように、キャラクタの図形として、複数の形状を組み合わせて、多彩な描画データを作成する技術が記載されているが、刊行物１及び２と同様に、描画方法記憶エリア及び第１、第２の描画データ作成手段とを備えることについて、記載されていないし、これを示唆する記載もない。
　そして、本件発明は、描画方法記憶エリア及び第１、第２の描画データ作成手段とを備える、本件請求項１に記載の構成をとることで、特許異議意見書の第９頁に記載される、「１つのキャラクタを特定する印字データから、形状の異なる第１のキャラクタ形状と第２のキャラクタ形状とを抽出し、描画方法記憶手段に記憶された描画方法に従って、第１のキャラクタ形状と第２のキャラクタ形状を、第１、第２色記憶手段に記憶された色に基づいて描画することが可能となるので、第１、第２のキャラクタ形状を指定するためのデータを個々に入力する必要が無くなり、印字データの量を削減が図られ、よって使用者の待ち時間を低減することが実現可能になるとともに、描画方法や設定された色に基づいたバリエーションに富んだ描画を行うことが可能となる」という効果を奏するものである。
　したがって、本件発明が、刊行物１及び２に記載された発明ないしは周知技術に基づいて当業者が容易に発明をすることができたものであるとすることはできない。
　
４．理由２について
　本件明細書の記載が不備であるとする具体的な理由は、「本件請求項１の記載は、明細書中の『従来技術』をも包含するものであり、従来技術に存在したとされる課題を何も解決していない」というものである。
　検討するに、上記訂正の結果、本件請求項１は、「描画方法が設定される描画方法記憶エリア」を備える点、また、この描画方法記憶エリアに設定された描画方法に基づいて、「抽出した第１のキャラクタ形状を記憶された第１の色で描画した第１描画データを作成する第１描画データ作成手段」と、「抽出した第２のキャラクタ形状を記憶された第２の色で描画した第２描画データを作成する第２描画データ作成手段」とを備える点で、従来技術とは異なることが明確となった。また、このような構成をとることにより、明細書に記載の、特に特許異議意見書の第９頁に記載される効果を奏するものであるから、本件明細書の記載が不備であるとすることはできない。
　
IＶ．むすび
　以上のとおりであるから、特許異議申立の理由及び証拠によっては、本件発明についての特許を取り消すことはできない。
　また、他に本件発明についての特許を取り消すべき理由を発見しない。
　したがって、本件発明についての特許は拒絶の査定をしなければならない特許出願に対してされたものとは認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年４月１４日（２００３．４．１４）
【訂正の要旨】
　（３）−（１）　　訂正事項Ｉ
　特許請求の範囲の減縮を目的として、特許請求の範囲における請求項１の記載を以下のように訂正致します。
「　　【請求項１】
　少なくともキャラクタを特定する印字データを入力する印字データ入力手段と、
　上記キャラクタ毎に第１のキャラクタ形状と、該第１のキャラクタとは形状の異なる第２のキャラクタ形状とを記憶する形状記憶手段と、
　上記入力された印字データで特定されるキャラクタの第１のキャラクタ形状と第２のキャラクタ形状とを抽出する形状抽出手段と、
　任意に設定される第１の色を記憶する第１色記憶手段と、
　任意に設定される第２の色を記憶する第２色記憶手段と、
　
描画方法が設定される描画方法記憶エリアと、
　
前記描画方法記憶エリアに設定された描画方法に基づいて、
　
前記描画方法記憶エリアに設定された描画方法に基づいて、
　記録媒体へ印字するために、上記第１描画データおよび上記第２描画データを一体の描画データにする印字制御手段とを備えたことを特徴とする印字データ処理装置。」
　（３）−（２）　　訂正事項ＩＩ
　明りょうでない記載の釈明を目的として、上記特許請求の範囲の訂正（訂正事項Ｉ）に伴い、特許明細書の段落【０００７】における記載を、以下の通り訂正致します。
「　　【課題を解決するための手段及び作用】
　本発明の印字データ処理装置
は、少
描画方法が設定される描画方法記憶エリアと、前記描画方法記憶エリアに設定された描画方法に基づいて、
前記描画方法記憶エリアに設定された描画方法に基づいて、
を要
　（３）−（３）　　訂正事項ＩＩＩ
　明りょうでない記載の釈明を目的として、上記特許請求の範囲の訂正（訂正事項Ｉ）に伴い、特許明細書の段落【０００８】における記載を、以下の通り訂正致します。
「上記構成を有する本発明の印字データ処理装置では、形状記憶手段にはキャラクタ毎に第１のキャラクタ形状とその第１のキャラクタ形状とは形状の異なる第２のキャラクタ形状とが記憶されている。印字データ入力手段にキャラクタを特定する印字データが入力されると、形状抽出手段が、入力された印字データで特定されるキャラクタの第１のキャラクタ形状と第２のキャラクタ形状とを形状記憶手段から抽出する。そして、
描画方法記憶エリアに設定された描画方法に基づいて、
描画方法記憶エリアに設定された描画方法に基づいて、
（５４）【発明の名称】
印字データ処理装置
（５７）【特許請求の範囲】
　【請求項１】
　少なくともキャラクタを特定する印字データを入力する印字データ入力手段と、
　上記キャラクタ毎に第１のキャラクタ形状と、該第１のキャラクタとは形状の異なる第２のキャラクタ形状とを記憶する形状記憶手段と、
　上記入力された印字データで特定されるキャラクタの第１のキャラクタ形状と第２のキャラクタ形状とを抽出する形状抽出手段と、
　任意に設定される第１の色を記憶する第１色記憶手段と、
　任意に設定される第２の色を記憶する第２色記憶手段と、
　
描画方法が設定される描画方法記憶エリアと、
　
前記描画方法記憶エリアに設定された描画方法に基づいて、
　
前記描画方法記憶エリアに設定された描画方法に基づいて、
　記録媒体へ印字するために、上記第１描画データおよび上記第２描画データを一体の描画データにする印字制御手段とを備えたことを特徴とする印字データ処理装置。
【発明の詳細な説明】
　【０００１】
　【産業上の利用分野】
　本発明は印字データ処理装置に関し、詳しくはホストコンピュータに接続され、ホストコンピュータからの印字データに基づいて、内部に記憶したキャラクタ形状を印字媒体に印字するための描画データとして提供する印字データ処理装置に関する。
　【０００２】
　【従来の技術】
　従来から、この種の印字データ処理装置を備えた印字装置においては、単に所定形状のキャラクタを印刷用紙に印字するだけでなく、図３（ｂ）に示すようにキャラクタの外形Ｙのみ（以下、袋文字と呼ぶ）を印字したり、同図（ｃ）に示すように、キャラクタの外形Ｙとその内部Ｘとをそれぞれ別の色で印字するもの（以下、このキャラクタを内部塗り袋文字と呼ぶ）が知られている。このような印字装置では、キャラクタを所望の色で印字する場合、ホストコンピュータからの描画色の設定コマンド，描画コマンドのみに基づいて処理される。このため、内部塗り袋文字を印字する場合においては、ホストコンピュータからの命令により、次のようなシーケンスで印字処理される。
　【０００３】
　▲１▼キャラクタの内部の色を設定→▲２▼キャラクタの指定→▲３▼キャラクタの内部塗りつぶし（メモリ上での描画）→▲４▼キャラクタの外形の色を設定→▲５▼キャラクタの指定（▲２▼と同じもの）→▲６▼キャラクタの外形の描画（メモリ上での描画）というステップを踏み、１つの内部塗り袋文字の描画データが作成される。そして、これらの処理を繰り返して１ページ分の描画データが作成されると、この描画データに基づいて所望の内部塗り袋文字が印刷用紙に印字される。
　【０００４】
　【発明が解決しようとする課題】
　しかしながら、このような印字装置では、キャラクタ１文字毎に上記の処理を行なっているために、処理時間が非常に長くなる。つまり、ホストコンピュータから印字装置に送信するデータ量が増加するため、データ送信時間が非常に長くなる。例えば、図３（ｃ）に示す内部塗り袋文字を、内部Ｘを赤色、外形Ｙを黒色で１０文字印字しようとする場合、総て同一文字の場合でも、描画色の設定，キャラクタの設定，描画処理をそれぞれ２０回行わなければならない。つまり、描画色の設定は、赤→黒→赤→……→黒と２０回変更され、その間、キャラクタの種類（この場合「Ａ」）を表すデータも２０回読み込まれることとなる。
　【０００５】
　従って、ホストコンピュータによるデータ送信開始から実際に印字されるまでの待ち時間が長くなり、使用者にとって貴重な時間を浪費してしまうこととなる。また、使用者の作業能率も低下してしまう。このため、使用者にとって余り使い勝手の良いものとはいえず、結局、表現豊かな内部塗り袋文字を充分に活用するまでに至っていない。
　【０００６】
　本発明の印字データ処理装置は上記課題を解決し、個々のキャラクタを２色で色付けして印字する場合に生じる待ち時間を低減し、使い勝手のよい印字データ処理装置を提供することを目的とする。
　【０００７】
　【課題を解決するための手段及び作用】
　本発明の印字データ処理装置
は、少
描画方法が設定される描画方法記憶エリアと、前記描画方法記憶エリアに設定された描画方法に基づいて、
前記描画方法記憶エリアに設定された描画方法に基づいて、
を要
　【０００８】
　上記構成を有する本発明の印字データ処理装置では、形状記憶手段にはキャラクタ毎に第１のキャラクタ形状とその第１のキャラクタ形状とは形状の異なる第２のキャラクタ形状とが記憶されている。印字データ入力手段にキャラクタを特定する印字データが入力されると、形状抽出手段が、入力された印字データで特定されるキャラクタの第１のキャラクタ形状と第２のキャラクタ形状とを形状記憶手段から抽出する。そして、
描画方法記憶エリアに設定された描画方法に基づいて、
描画方法記憶エリアに設定された描画方法に基づいて、
　【０００９】
　つまり、第１のキャラクタ形状を第１の色で、第２のキャラクタ形状を第２の色で描画するように対応付けている。従って、各キャラクタ毎に描画色設定を繰り返す必要はない。しかも、この第１の色及び第２の色は、それぞれ任意に設定して第１色記憶手段または第２色記憶手段に記憶することができる。
　【００１０】
　尚、第１，第２色記憶手段に記憶される色は、直接カラーを表すものだけでなく、ドット密度等による濃度を表してもよい。また、形状記憶手段に記憶される第１，第２のキャラクタ形状は、１つのキャラクタ形状から２つのキャラクタ形状を演算により求める演算式等を記憶するものでもよい。
　【００１１】
　【実施例】
　以上説明した本発明の構成・作用を一層明らかにするために、以下本発明の印字データ処理装置の好適な実施例について説明する。
　【００１２】
　図２は、一実施例としての印字装置（本実施例ではレーザプリンタである）の概略構成図である。印字装置１は、ホストコンピュータＨに接続され、ホストコンピュータＨからの印字データを入力して、印字データに基づく画像（文字，記号，図形等）を印刷用紙に記録（以下、印字と呼ぶ）するものである。
　【００１３】
　印字装置１は、インタフェース１０，ＣＰＵ２０，ＲＯＭ３０，ＲＡＭ４０，印字エンジン部５０，これらを相互に接続するバス６０を備える。インタフェース１０は、ホストコンピュータＨに接続され、ホストコンピュータＨからの印字データ（キャラクタデータ，各種の制御データ等からなる）を入力する入力回路と、制御信号を出力する出力回路とからなる入出力回路である。
　【００１４】
　ＣＰＵ２０は、各種の制御ルーチンに従って印字装置１全体の制御を司る周知の算術論理演算回路である。ＲＯＭ３０は、ＣＰＵ２０が実行する各種制御処理に必要なプログラムを記憶するプログラムメモリ３２と、各キャラクタ毎の形状を表すフォントデータを記憶するフォントメモリ３４とを備える。このフォントメモリ３４に記憶される各キャラクタの形状は、図３（ａ）に示すように内部ｘを塗りつぶした通常のキャラクタ形状と、同図（ｂ）に示すようにキャラクタの外形Ｙのみを表す袋文字形状との２通りである。尚、袋文字形状のフォントデータに代えて、通常のキャラクタ形状から袋文字形状を算出する演算式を記憶するものであってもよい。
　【００１５】
　ＲＡＭ４０は、ＣＰＵ２０がデータ処理する場合に使用され演算データを一時的に記憶するワークエリアとして、受信バッファ４１，第１色記憶エリア４２，第２色記憶エリア４３，描画方法記憶エリア４４と、１ページ分の描画データを格納するページメモリ４５とを備える。
　【００１６】
　印字エンジン部５０は、改ページコマンドの指令タイミングで、ページメモリ４５に蓄積された１ページ分の描画データを入力し、描画データに基づいてレーザビームをオン，オフ制御して印字を行なうもので、図示しない給紙搬送系，作像系，レーザ／スキャナ系，制御系等からなる。
　【００１７】
　次に、印字装置１の実行する印字制御処理について図４のフローチャートと共に説明する。図４は、ＣＰＵ２０が実行する印字制御ルーチンを表すもので、印字装置１の電源が投入されると起動する。尚、起動時には、文字サイズ，印字方向，カーソル位置等の初期設定が行なわれる。
　【００１８】
　まず、ホストコンピュータＨから印字データを受信し（Ｓ１００）、受信した印字データが描画方法指定コマンドであるか否かを判断する（Ｓ１１０）。この場合、ホストコンピュータＨから受信した印字データは、一旦、受信バッファ４１に格納され、ここから読み込んだ印字データが描画方法指定コマンドであるか否かを判断する。
　【００１９】
　描画方法指定コマンドである場合は、描画方法記憶エリア４４に描画方法を設定する（Ｓ１２０）。本実施例では、描画方法は、図３（ａ），（ｂ），（ｃ）に示すように、通常の文字描画と、袋文字による描画と、内部塗り袋文字による描画との３つのパターンが設定される。描画方法記憶エリア４４は、２ビットのメモリで、下位ビットがキャラクタの内部Ｘの塗りつぶし、上位ビットが外形Ｙの描画を表し、初期設定時においては「０１」、即ち、内部Ｘの塗りつぶし（通常の文字描画）が設定されている。ホストコンピュータＨからの描画方法指定が、袋文字による描画の場合には「１０」に、内部塗り袋文字による描画の場合には「１１」と設定される。ステップ１２０の処理を行なうと、ステップ１００の処理に移行する。
　【００２０】
　ステップ１１０において、描画方法指定コマンドでないと判断した場合は、読み込んだデータが色指定コマンドか否かを判断する（Ｓ１３０）。色指定コマンドの場合には、更に、そのコマンドが第１色の指定か否かを判断する（Ｓ１４０）。第１色の指定の場合には、そこで指定された色を第１色記憶エリア４２に記憶し（Ｓ１５０）、そうでなければ、即ち、第２色の指定であれば、指定された色を第２色記憶エリア４３に記憶する（Ｓ１６０）。尚、本実施例では、色指定を濃度指定としている。ステップ１５０あるいはステップ１６０の処理を行なうと、ステップ１００の処理に移行する。
　【００２１】
　ステップ１３０において、色指定コマンドでないと判断した場合には、読み込んだデータが他の制御コードか否かを判断する（Ｓ１７０）。制御コードでない場合、即ち、キャラクタを表すキャラクタデータの場合は、描画方法記憶エリア４４を参照して、描画方法がキャラクタの内部Ｘの塗りつぶしを含むか否かを判断する（Ｓ１８０）。つまり、描画方法記憶エリア４４の下位ビットが「１」か否かを判断する。下位ビットが「１」であれば、第１色記憶エリア４２に記憶された色情報を参照して、キャラクタデータで指定されたキャラクタの内部Ｘ（通常のキャラクタ形状）をページメモリ４５上で第１色に塗りつぶす（Ｓ１９０）。下位ビットが「０」の場合には、ステップ１９０の処理を飛ばして、ステップ２００の処理に移行する。
　【００２２】
　ステップ２００では、描画方法がキャラクタの外形Ｙの描画を含むか否かを判断する（Ｓ２００）。つまり、描画方法記憶エリア４４の上位ビットが「１」か否かを判断する。上位ビットが「１」であれば、第２色記憶エリア４３に記憶された色情報を参照して、ページメモリ４５上でキャラクタの外形Ｙを第２色で描画する（Ｓ２１０）。上位ビットが「０」の場合には、ステップ２１０の処理を飛ばしてステップ２２０の処理に移行する。
　【００２３】
　尚、ステップ１９０，２１０において、キャラクタ形状（内部形状および外形）はフォントメモリ３４のデータに基づくもので、その大きさは、その時点での指定されている文字サイズに設定される。
　【００２４】
　こうして、ページメモリ４５上で、所定のキャラクタ形状が図３に示す描画パターンの何れかで描画される。ステップ２２０では、次のキャラクタの描画のために、ページメモリ４５上のカーソル位置を更新し、ステップ１００の処理に戻る。
　【００２５】
　ステップ１７０において、制御コードであると判断した場合には、その制御コードで指定されるその他の処理を行なう（Ｓ２３０）。この処理は、種々の制御コードに基づいて改行，改ページ，カーソル位置設定等を行なうものである。尚、改ページコマンドが読み出された場合には、ページメモリ４５に格納された１ページ分の描画データに基づいて、印字エンジン部５０により印字が実行される。
　【００２６】
　ステップ２３０の処理が終了すると、ステップ１００の処理に戻る。こうして、本印字制御ルーチンは、印字装置１の電源がオフになるまで繰り返し実行される。
　【００２７】
　以上説明したように、本実施例の印字装置１によれば、キャラクタの形状の内部Ｘを第１色で、キャラクタの外形Ｙを第２の色で描画するよう対応付けているため、一旦、第１色，第２色を設定すれば、以降はキャラクタの指定だけで所望の描画を行なうことができる。つまり、第１色，第２色の設定が終了した後は、順次キャラクタデータを受信するだけで、所望のキャラクタが所定の色に色付けられて描画される。従って、従来のように、１文字描画する度に２回の描画色設定，２回のキャラクタ指定を行なう必要がなくなる。この結果、ホストコンピュータＨによるデータ送信時間が短縮され、データ送信開始から実際に印字されるまでの待ち時間を短縮することができる。このため、使用者にとって非常に使い勝手の良いものとなり、所望の色設定を行なって表現豊かな内部塗り袋文字を充分に活用することができる。なお、上記実施例において、インタフェース１０が印字データ入力手段に、Ｓ１９０またはＳ２１０にてキャラクタの形状を抽出する処理を記憶したプログラムメモリ３２の記憶領域、及びその処理を実行するＣＰＵ２０が形状抽出手段に、フォントメモリ３４が形状記憶手段に、第１色記憶エリア４２が第１色記憶手段に、第２色記憶エリア４３が第２色記憶手段に、Ｓ１９０にて上記キャラクタの内部Ｘを第１色に塗りつぶす処理を記憶したプログラムメモリ３２の記憶領域、及びその処理を実行するＣＰＵ２０が第１描画データ作成手段に、Ｓ２１０にてキャラクタの外形Ｙを第２色で描画する処理を記憶したプログラムメモリ３２の記憶領域、及びその処理を実行するＣＰＵ２０が第２描画データ作成手段に、Ｓ１９０の処理に続いて実行されるＳ２１０にて上記キャラクタの内部Ｘと外形Ｙとをページメモリ４５上で一体化させる処理を記憶したプログラムメモリ３２の記憶領域、及びその処理を実行するＣＰＵ２０が印字制御手段に、それぞれ相当する。
　【００２８】
　以上本発明の実施例について説明したが、本発明はこうした実施例に何等限定されるものではなく、本発明の要旨を逸脱しない範囲において、種々なる態様で実施し得ることは勿論である。例えば、内部塗り袋文字に代えて、図５（ａ）や図５（ｂ）に示すようなそれぞれ２つの形状Ｖ，Ｗからなるキャラクタを、各形状Ｖ，Ｗ毎に色分けして描画するものであってもよい。また、本実施例ではホストコンピュータＨからのコマンドにより色設定を行なったが、印字装置１に色設定用操作ボタンを設けて印字装置１側で使用者が任意に色設定する構成であってもよい。
　【００２９】
　【発明の効果】
　以上詳述したように、本発明の印字データ処理装置によれば、第１のキャラクタ形状を第１の色で、第２のキャラクタ形状を第２の色で描画するように対応付けているため、各キャラクタ毎に描画色設定を繰り返す必要はなくなる。つまり、第１，第２の色の設定後は、順次キャラクタデータを受信するだけで、所望のキャラクタが所定の色に色付けられて描画される。この結果、個々のキャラクタを２色で色付けして印字する場合でのデータ送信時間が短縮され、使用者の待ち時間が低減される。従って、使用者にとって非常に使い勝手の良いものとなる。しかも、第１のキャラクタ形状と第２のキャラクタ形状とはその形状が異なっており、それらの色（第１の色及び第２の色）もそれぞれ任意に設定できるので、本発明では、視覚効果として極めてバラエティーに富んだ印刷物を提供することができる。
【図面の簡単な説明】
　【図１】
　本発明の基本的構成を例示するブロック図である。
　【図２】
　一実施例としての印字装置の概略構成図である。
　【図３】
　キャラクタ形状を表す説明図である。
　【図４】
　印字制御ルーチンを表すフローチャートである。
　【図５】
　キャラクタ形状の変形例を表す説明図である。
　【符号の説明】
　１…印字装置，１０…インタフェース，２０…ＣＰＵ，３０…ＲＯＭ，３４…フォントメモリ，４０…ＲＡＭ，４２…第１色記憶エリア，４３…第２色記憶エリア，４４…描画方法記憶エリア，５０…印字エンジン部，Ｈ…ホストコンピュータ